(57)【要約】      （修正有）【課題】デジタル放送選局の高速化。【解決手段】処理が開始され（ステップＳ１：ＳＴＡＲＴ）、ステップＳ２において、第１イベントが検出されるまで現状の動作が継続される（ＮＯ）。ステップＳ２において第１のイベントが検出されると（ＹＥＳ）、ステップＳ３において、第１のイベントが現在動作中のイベントとは異なるイベントであるか否かを判断する。次いで、ステップＳ５において一定時間内、例えば２〜３秒以内に第１イベントと同じ動作に関する第２イベント例えばＣＳの１チャンネルの選局に関する第２イベントが検出されると、ユーザが第１・第２イベントに関連するイベントに基づく処理を行ったことが確定するため（ＹＥＳ）、ステップＳ６に進み、チューナーＢによるＣＳの１チャンネルの出力が開始され、処理を終了する（ステップＳ７：ＥＮＤ）。ステップＳ５において第２イベントが一定時間内に検出されなかった場合は、ステップＳ２に戻る。【選択図】  図３
2007124305.tif 000002
【特許請求の範囲】
【請求項１】
デジタル放送の選局処理の制御を行う制御部であって、
選局操作に関する第１のイベント及びそれに続く第２のイベントのうちの先行する前記第１のイベントの発生に基づく第１の制御信号を受けた際に、前記選局操作（チューナー選局）を開始する制御部を有することを特徴とするデジタル放送受信機。
【請求項２】
前記制御部は、前記第２のイベントの発生に基づく第２の制御信号を受けた際に、前記選局操作を確定して出力する制御を行うことを特徴とする請求項１に記載のデジタル放送受信機。
【請求項３】
前記制御部は、前記第２のイベントの発生に基づく第２の制御信号を前記第１の制御信号を受けてからある時間内に受けなかった場合に、前記選局操作に関する処理をキャンセルして出力しないように制御を行うことを特徴とする請求項２に記載のデジタル放送受信機。
【請求項４】
デジタル放送の選局を行う第１及び第２のチューナーと、
該第１又は第２のチューナーの少なくとも一方により選局されたデジタル放送をデコードするデコーダと、
前記チューナーによる選局処理の制御を行う制御部であって、選局操作に関する第１のイベント及びそれに続く第２のイベントのうちの先行する前記第１のイベントの発生に基づく第１の制御信号を受けた際に、前記第１又は第２のチューナーのうち現在使用していない方のチューナーにより前記選局操作処理を行い、前記第２のイベントの発生に基づく第２の制御信号を受けた際に、前記選局操作を確定して出力する制御を行うことを特徴とするデジタル放送受信機。
【請求項５】
前記デコーダは、前記第１のチューナーに関連する第１のデコーダと前記第２のチューナーに関連する第２のデコーダとを含むことを特徴とする請求項４に記載のデジタル放送受信機。
【請求項６】
請求項２から５までのいずれか１項に記載のデジタル放送受信機の選局操作を行うリモコン装置であって、
前記選局操作に関する操作ボタンへの接触と操作ボタンの押下とに関連してそれぞれ前記第１の制御信号と前記第２の制御信号とを前記デジタル放送受信機に送信することを特徴とするリモコン装置。
【請求項７】
第１のデジタル機器と接続可能なデジタル放送に関する第２のデジタル機器であって、
デジタル放送の選局を行うチューナーと、
該チューナーにより選局されたデジタル放送をデコードするデコーダと、
前記チューナーによる選局処理の制御を行う制御部であって、前記第１のデジタル機器に基づく出力中に選局操作に関する第１のイベント及びそれに続く第２のイベントのうちの先行する前記第１のイベントの発生に基づく第１の制御信号を受けた際に、前記チューナーにより前記選局操作に関する選局処理（チューナー選局）を行い、前記第２のイベントの発生に基づく第２の制御信号を受けた際に、前記選局操作を確定して出力する制御を行うことを特徴とする第２のデジタル機器。
【請求項８】
第１及び第２の少なくとも２つのサービスを受けることができるデジタル放送受信機であって、
サービスの選局を行うチューナーと、
該チューナーにより選局されたサービスに関するコンテンツをデコードするデコーダと、
前記チューナーによる選局処理の制御を行う制御部であって、前記第１のサービスに基づく出力中に選局操作に関する第１のイベント及びそれに続く第２のイベントのうちの先行する前記第１のイベントの発生に基づく第１の制御信号を受けた際に、前記チューナーにより前記サービスに関する選局操作に関する選局処理（チューナー選局）を行い、前記第２のイベントの発生に基づく第２の制御信号を受けた際に、前記選局操作を確定して出力する制御を行うことを特徴とするデジタル放送受信機。
【請求項９】
デジタル放送の選局処理方法であって、
選局操作に関する第１のイベント及びそれに続く第２のイベントのうちの先行する前記第１のイベントの発生に基づく第１の制御信号を受けた際に、前記選局操作に関する選局（チューナー選局）を開始するステップと、
前記第２のイベントの発生に基づく第２の制御信号を受けた際に、前記選局操作を確定して出力する制御を行うステップと
を有することを特徴とする選局処理方法。
【請求項１０】
前記第２のイベントの発生に基づく第２の制御信号を前記第１の制御信号を受けてからある時間内に受けなかった場合に、前記選局操作に関する処理をキャンセルして出力しないように制御を行うステップを有することを特徴とする請求項９に記載の選局処理方法。
【発明の詳細な説明】
【技術分野】
【０００１】
本発明は、デジタル放送の受信技術に関し、特に受信時における選局の高速化に関する。
【背景技術】
【０００２】
デジタル放送を受信可能なテレビをはじめとするデジタル放送受信機においては、選局動作完了までに時間を要するため、特にザッピング等の動作において、ユーザに対するストレス要因となっている。
【０００３】
選局時間を短縮させるために様々な手法が提案されているが、例えば、チューナを複数搭載した受信機において、次に選局するだろう候補局を事前にチューニングさせておく方法がある(特許文献１参照)。この技術は、ユーザがチャンネルを順々に選局したときの次の放送局や、お好み登録してある放送局、数字入力モードにて入力されたはじめの１桁目などの数字を用いて候補局を絞って行うものである。
【０００４】
【特許文献１】特開２０００−１０１４６７号公報
【発明の開示】
【発明が解決しようとする課題】
【０００５】
しかしながら、上記の手法を用いても、予測が外れると選局の高速化が図ることができない。タイミングによっては、選局中断処理を行ってから再選局を行うなど更なる時間がかかることとなる。
【０００６】
本発明は、選局の高速化を図ることを目的とする。
【課題を解決するための手段】
【０００７】
本発明は、デジタル放送の選局に関するリモコン操作に関して、ボタンを押下したときと触れたときとの２種類のイベントを発生させ、これらの２種類のイベントを識別して、２種類のイベント間に選局に関する準備を行うものである。
【発明の効果】
【０００８】
ユーザがボタンを押下する直前のイベントを取得することで、それをフラグとした選局処理（チューナー選局）を行っておくことで選局の高速化を図ることができる。
【発明を実施するための最良の形態】
【０００９】
選局動作に時間がかかる要因としては、主として以下のものが挙げられる。
１）チューナーの同調時間
２）提示する映像等のデータを特定する情報が含まれているPAT(Program Association Table)、PMT(Program Map Table)等の解析に要する時間
３）映像データMPEG-2等の特質によりIフレーム待ちの待機時間
但し、これらの時間は、MPEG2-TS形式等を用いてデジタル放送が行われているために回避は難しい処理である。
【００１０】
視聴する放送局を選局するには通常、３種類方法がある。１つ目は、ダイレクト選局といい、リモコンの1から１２までの数字キーを押下することによって、テレビ等に記憶されている放送局をチャンネル選局する方法。２つ目は、リモコンの選局上下ボタンによって、テレビ等に登録されている放送局を昇順、または、降順に選局する方法。３つ目は、リモコンの３桁入力ボタンにより、直接選局する放送局のチャンネルを入力する方法である。また、ネットワーク（ＢＳ／ＣＳ／地上デジタル）ボタンにより選局するネットワークを変更することができるが、ダイレクト選局においては、それぞれのネットワーク毎にリモコンの数字キーに放送局が登録されているのが通常である。
【００１１】
リモコン操作においては、現在はリモコンの操作ボタンを押し込んだ時（押下した時）に、操作ボタンに関連付けされている機能が発揮される。例えば、ＢＳ放送チャンネルを視聴している場合に１のボタンを押せば、その時点で１のボタンに登録されているチャンネルが選局される。また、ＢＳ放送を視聴している場合に、ＣＳ放送の選択ボタンを押せば、ＣＳ放送に切り替わる。発明者は、このリモコンを用いた操作に着目した。すなわち、上記リモコンの操作ボタンの押下に関するアクションは、実際には、１）操作ボタンに触れた時と、２）操作ボタンを押下した時と、の２種類のイベントが発生している。これらのイベントを、以下、第１のイベント、第２のイベントと称する。ここで、第１のイベントと第２のイベントとの２種類のイベントを区別して認識することができるようにすれば、操作ボタンに触ってから実際に押下が完了するまでに要する間に、あたかも操作ボタンを触った場合にその後に押下の操作がなされるものと推定して押下の操作に関連付けされている機能の起動を開始しておく。そして、実際の押下が行われたことにより、その操作に関連する機能に基づくデジタル放送受信機の動作を確定する。このようにすれば、リモコン操作に基づくデジタル放送受信機の動作を高速化することができる。
【００１２】
以下に本発明の一実施の形態によるデジタル放送受信技術についてより具体的に説明を行う。
【００１３】
図１は、本実施の形態によるデジタル放送受信技術の原理を示す図であり、デジタル放送受信装置操作部（例えばリモコン装置）の概略構成と操作の様子を示す図である。図１（ａ）〜（ｃ）に示すように、リモコン装置１は、操作ボタン３と、操作ボタン３の上部に設けられ、操作ボタン３に例えば指１１で触れた場合にその旨を検出する例えば静電センサ５と、操作ボタン３を押し込んだ場合にその旨を検出する例えば接点スイッチ７とを有している。図１（ｂ）に示す第１のイベントの有無に関する静電センサ５の検出結果と、図１（ｃ）に示す第２のイベントの有無に関する接点スイッチ７の検出結果とに基づいて、それぞれ異なる第１の制御信号Ｓ１と第２の制御信号Ｓ２とがデジタルテレビ受信機に送られるようにする。
【００１４】
図２及び図３は、本発明の第１の実施の形態によるデジタル放送受信技術に関するデジタル放送受信機の一構成例と、制御部（ＣＰＵ）における動作の流れと、をそれぞれ示すフローチャート図である。図２に示すように、本実施の形態によるデジタル放送受信機は、チューナーＡ２１と、チューナーＢ２３と、チューナーからのＭＰＥＧ２-ＴＳ（トランスポート  ストリーム）を受けてＴＳデコードとＡＶデコードとを行うＭＰＥＧ２デコーダ２５と、全体を制御するＣＰＵ２７と、を有している。ＭＰＥＧ２デコーダ２５からＡＶデータが出力され、図示しない映像出力部（表示部）と音声出力部とにおいてＡＶデータに基づく放送が再生できる。上記第１の制御信号Ｓ１と第２の制御信号Ｓ２とを受けるとＣＰＵ２７が下記のような制御を行うものである。
【００１５】
図３に示すように、処理が開始され（ステップＳ１：ＳＴＡＲＴ）、ステップＳ２において、第１イベントが検出されるまで現状の動作が継続される（ＮＯ）。ステップＳ２において第１のイベントが検出されると（ＹＥＳ）、ステップＳ３において、第１のイベントが現在動作中のイベントとは異なるイベントであるか否かを判断する。例えば、現在チューナーＡ２１でリモコンのＢＳの１のボタンに登録されているチャンネルを視聴中である場合に、同じＢＳの１のボタンに登録されているチャンネルの選局に関するリモコン操作ボタンに指が触れた旨の検出信号を受けた場合には、同じイベントであるから（ＮＯ）、ステップＳ２に戻る。一方、検出された第１イベントが現在動作中のイベントとは異なる場合（ＹＥＳ）、例えば、ＢＳの５のボタンを触れるなどのようにＢＳの１のボタンに登録されているチャンネル以外のイベントに関連する場合には、ステップＳ４に進み、第１イベントに基づいてチューナーＢ２３による例えばＢＳの５のボタンに登録されているチャンネルの選局動作、つまり、チューナーの選局を開始する。次いで、ステップＳ５において一定時間内、例えば２〜３秒以内に第１イベントと同じ動作に関する第２イベント例えばＢＳの５のボタンに登録されているチャンネルの選局に関する第２イベントが検出されると、ユーザが第１・第２イベントに関連するイベントに基づく処理を行ったことが確定するため（ＹＥＳ）、ステップＳ６に進み、チューナーＢ２３によるＢＳの５のボタンに登録されているチャンネルのＭＰＥＧ２デコード処理が開始され、映像・音声出力が行われ、処理を終了する（ステップＳ７：ＥＮＤ）。ステップＳ５において第２イベントが一定時間内に検出されなかった場合は、ユーザの気が変わったか第１イベントが単に誤ってボタンに触れただけであると推定されるため、ステップＳ２に戻る。ステップＳ４からステップＳ５までの間において、チューナーＢ２３によるＣＳの１のボタンに登録されているチャンネルの視聴に向けての処理が進められているため、ユーザの意識として第２イベントを行った場合に待たされることなくチューナーＢ２３によるＣＳの１のボタンに登録されているチャンネルの視聴を行うことができる。以上の処理により、デジタル放送受信機に関する選局操作を高速に行うことが可能となる。
【００１６】
次に、本発明の第２の実施の形態によるデジタル放送受信技術について図面を参照しながら説明を行う。図４は、本実施の形態によるデジタル放送受信機の概略構成例を示す図である。図４に示す構成と図２に示す構成との相違点は、ＭＰＥＧ２デコーダ３５、３７の２台のデコーダを備え、チューナーＡ３１とチューナーＢ３３との出力をそれぞれ独立したＭＰＥＧ２デコーダ３５、３７においてデコードする構成になっている点である。ＣＰＵ３８による制御処理の流れは図３を参照して説明した第１の実施の形態と同様であるが、ステップＳ４からステップＳ６までの処理を個別のデコーダで行うことができるため、デコーダを余分に設ける必要があるものの共通のデコーダを用いる場合よりもより高速に処理することが可能であるという利点がある。
【００１７】
次に、本発明の第３の実施の形態によるデジタル放送受信技術について図面を参照しながら説明を行う。本実施の形態によるデジタル放送受信技術は、異なる機器間における処理を含む。例えば、図２又は図４に示すデジタル放送受信機と、このデジタル放送受信機との間でデジタルコンテンツのやり取りを行うことができるデジタルコンテンツの記録再生装置と、を含むものである。この場合には、チューナーが１つでも良い。
【００１８】
上記構成における処理の流れについて図５を参照しながら説明を行う。図５に示すように、処理が開始され（ステップＳ１１：ＳＴＡＲＴ）、ステップＳ１２において、第１イベントが検出されるまで現状の動作が継続される（ＮＯ）。ステップＳ１２において第１のイベントが検出されると（ＹＥＳ）、ステップＳ１３において、第１のイベントが現在動作中のイベントとは異なるイベントであるか否かを判断する。例えば、現在、記録再生装置により再生したコンテンツをデジタル放送受信機において視聴中である場合に、同じコンテンツの再生に関するリモコン操作ボタンに指が触れた旨の検出信号を受けた場合には、同じイベントであるから（ＮＯ）、ステップＳ１２に戻る。
【００１９】
一方、検出された第１イベントが現在動作中のイベントとは異なる場合（ＹＥＳ）、例えば、ＣＳの１のボタンに登録されているチャンネルのようにテレビ放送の受信に関連する場合には、ステップＳ１４に進み、第１イベントに基づいてチューナーＡ又はＢ（１つしか無い場合にはいずれか）による例えばＣＳの１のボタンに登録されているチャンネルの選局動作を開始しておく。次いで、ステップＳ１５において、一定時間内、例えば２〜３秒以内に第１イベントと同じ動作に関する第２イベント例えばＣＳの１のボタンに登録されているチャンネルの選局に関する第２イベントが検出されると、ユーザが第１・第２イベントに関連するイベントに基づく処理を行ったことが確定するため（ＹＥＳ）、ステップＳ１６に進み、チューナーＡ又はＢによるＣＳの１のボタンに登録されているチャンネルの出力が開始され、処理を終了する（ステップＳ１７：ＥＮＤ）。ステップＳ１５において第２イベントが一定時間内に検出されなかった場合は、ユーザの気が変わったか第１イベントが単に誤ってボタンに触れただけであると推定されるため、ステップＳ１２に戻る。ステップＳ１４からステップＳ１５までの間において、チューナーＡ又はＢによるＣＳの１のボタンに登録されているチャンネルの視聴に向けての処理が進められているため、ユーザの意識として第２イベントを行った場合に待たされることなくチューナーＢによるＣＳの１のボタンに登録されているチャンネルの視聴を行うことができる。以上の処理により、デジタル放送受信機に関する選局操作を高速に行うことが可能となる。
【００２０】
次に、本発明の第４の実施の形態によるデジタル放送受信技術について図面を参照しながら説明を行う。本実施の形態によるデジタル放送受信技術は、異なるサービス間における処理を含む。例えば、図２又は図４に示すデジタル放送受信機を利用して異なるサービスを行うものである。
【００２１】
上記構成における処理の流れについて図６を参照しながら説明を行う。図６に示すように、処理が開始され（ステップＳ２１：ＳＴＡＲＴ）、ステップＳ２２において、第１イベントが検出されるまで現状の動作が継続される（ＮＯ）。ステップＳ２２において第１のイベントが検出されると（ＹＥＳ）、ステップＳ２３において、第１のイベントが現在動作中のイベントとは異なるイベントであるか否かを判断する。例えば、現在、デジタル放送受信機においてＢＳ放送をチューナーＡに基づいて視聴中である場合に、同じＢＳ放送の視聴に関するリモコン操作ボタンに指が触れた旨の検出信号を受けた場合には、同じイベントであるから（ＮＯ）、ステップＳ２２に戻る。
【００２２】
一方、検出された第１イベントが現在動作中のイベントとは異なる場合（ＹＥＳ）、例えば、データ放送の視聴に関連する場合には、ステップＳ２４に進み、第１イベントに基づいてチューナーＢによる例えばデータ放送の視聴に関する選局（チューナー選局）を開始しておく。次いで、ステップＳ２５において、一定時間内、例えば２〜３秒以内に第１イベントと同じ動作に関する第２イベント例えばデータ放送の視聴に関する第２イベントが検出されると、ユーザが第１・第２イベントに関連するイベントに基づく処理を行ったことが確定するため（ＹＥＳ）、ステップＳ２６に進み、チューナーＢによるデータ放送の出力が開始され、処理を終了する（ステップＳ２７：ＥＮＤ）。ステップＳ２５において第２イベントが一定時間内に検出されなかった場合は、ユーザの気が変わったか第１イベントが単に誤ってボタンに触れただけであると推定されるため、ステップＳ２２に戻る。ステップＳ２４からステップＳ２５までの間において、チューナーＢによるデータ放送の視聴に向けての処理が進められているため、ユーザの意識として第２イベントを行った場合に待たされることなくデータ放送の視聴を行うことができる。以上の処理により、デジタル放送受信機に関する選局操作を高速に行うことが可能となる。尚、上記の例では、異なるサービスの例としてテレビ番組の視聴とデータ放送の視聴とについて説明したが、その他、ラジオ放送に関する視聴を含めることも可能である。
【００２３】
尚、リモコンの操作ボタンを触ったときに、裏で選局する組み合わせに関しては以下の
組み合わせがある。
１）数字チャンネルが押された場合には、その割り当てられているチャンネル
２）選局ボタンが押された場合には、その割り当てられているチャンネル
３）ネットワーク切り替えボタン(BS/CS/地デジ等)が押された場合には、そのネットワークのラストチャンネル（直前に選択されていたチャンネル）
４）メディア(テレビ/ラジオ/データ)切り替えボタンの場合には、そのメディアにおいて直前に選択されていたラストチャンネル
【産業上の利用可能性】
【００２４】
本発明はデジタル放送受信装置により可能である。
【図面の簡単な説明】
【００２５】
【図１】本発明の実施の形態によるデジタル放送受信技術の原理を示す図であり、デジタル放送受信装置操作部（例えばリモコン装置）の概略構成と操作の様子を示す図である。
【図２】本発明の第１の実施の形態によるデジタル放送受信技術に関するデジタル放送受信機の一構成例を示す図である。
【図３】本実施の形態による制御部（ＣＰＵ）における動作の流れを示すフローチャート図である。
【図４】本発明の第２の実施の形態によるデジタル放送受信技術に関するデジタル放送受信機の一構成例を示す図である。
【図５】本発明の第３の実施の形態による制御部（ＣＰＵ）における動作の流れを示すフローチャート図である。
【図６】本発明の第４の実施の形態による制御部（ＣＰＵ）における動作の流れを示すフローチャート図である。
【符号の説明】
【００２６】
１…リモコン装置、３…操作ボタン、５…静電センサ、７…接点スイッチ、２１…チューナーＡ、２３…チューナーＢ、２５…ＭＰＥＧ２デコーダ、２７、３８…ＣＰＵ。
【図１】
2007124305.tif 000003
【図２】
2007124305.tif 000004
【図３】
2007124305.tif 000005
【図４】
2007124305.tif 000006
【図５】
2007124305.tif 000007
【図６】
2007124305.tif 000008